(57)【要約】  【課題】  従来製品における欠点が無く、取り付けシステムの機能を向上させ得、自動車のヘッドライトアセンブリの機能を向上させ得、自己位置決め式で且つ適宜の位置に容易に維持され、パーツをスクラップ処理するに際しての取り外しが容易であり、かくして光シールドを回収することのできる、押し込み式のシールド取り付けシステムにおける機能を向上させ得る自己位置決め式取り付けシステムを提供することである。  【解決手段】  第１サブアセンブリ３０が第２サブアセンブリ４０の最上部に位置決めされ、第２サブアセンブリ４０の圧縮性錠止体５４が第１サブアセンブリ３０の平面３２の孔３４に挿通され、第１バネ５６が垂下側壁３８の内側部分と係合し、第２バネ５８が後壁４８の内面と係合する。ユニットは、この位置に維持した状態で取り付け凹所１４に押し込まれると垂下側壁３８が横長孔２６に摺動しつつ入り込み、圧縮性錠止体５４が開口６０に挿通されると押し込みが完了する。【選択図】      図１
2004259699.tif 000002
【特許請求の範囲】
【請求項１】
自己位置決め式取り付けシステムであって、
３つの閉鎖側部と１つの開放側部とを持つ取り付け凹所と、横長孔を具備する実質的に中実の底部と、開口を具備する上部とを含むハウジングと、
孔開き平面と、中実の後壁と、ハウジングの前記横長孔と係合し該横長孔から突出する形態とした垂下側壁とのみを有する第１サブアセンブリと、
上面と、前壁、後壁、２つの側壁を含む４つの壁とを持つ胴部を含む第２サブアセンブリと、
第２サブアセンブリの上面と関連する圧縮性錠止体と、
胴部の前記４つの壁の１つと関連する第１バネと、
胴部の前記後壁と関連する第２バネと、
より構成され、
前記第１サブアセンブリが、前記圧縮性錠止体が前記孔開き平面の孔に挿通し、前記第１バネが該第１サブアセンブリの垂下側壁と係合し且つ前記第２バネが前記ハウジングの前記実質的に中実の底部と係合する状態下に前記第２サブアセンブリの最上部に位置決めされ、前記第１サブアセンブリと第２サブアセンブリとが、前記圧縮性錠止体がハウジングの前記上部の開口の壁と係合し且つ前記垂下側壁が前記横長孔から突出する状態下に前記ハウジングの凹所内に位置決めされるようにした、自己位置決め式取り付けシステム。
【請求項２】
第２サブアセンブリの胴部が底部を有さず且つ中空である請求項１の自己位置決め式取り付けシステム。
【請求項３】
圧縮性錠止体と、第１バネと、第２バネとが、各々が関連する表面及び側部から形成される請求項１の自己位置決め式取り付けシステム。
【請求項４】
ハウジングが、自動車のヘッドライト用のリフレクタの一部分を含んでいる請求項１の自己位置決め式取り付けシステム。
【請求項５】
垂下側壁に光シールドを設けた請求項４の自己位置決め式取り付けシステム。
【発明の詳細な説明】
【技術分野】
【０００１】
本発明は取り付け装置に関し、詳しくは、自己位置決め式の取り付け装置に関する。更に詳しくは、本発明は自動車のヘッドライト用の自己位置決め式光シールドに関する。
【背景技術】
【０００２】
リフレクタに取り付けたハロゲン球を自動車のヘッドライトに使用することができる。ハロゲン球の前面側部分はシールド、即ち遮蔽されるが、このシールドは、シールドを正しく位置決めせず、またしばしば脱落する押し込み式のマウントに固定されている。この解決策として提案されたねじ込み式マウントはうまく作用するが高価であり、追加のパーツや手間も必要となる。
【発明の開示】
【発明が解決しようとする課題】
【０００３】
従って、解決しようとする課題は、従来製品の欠点を無くすことであり、
取り付けシステムの機能を向上させることであり、
自動車のヘッドライトアセンブリの機能を向上させることであり、
更には、自己位置決め式で且つ適宜の位置に容易に維持され、パーツをスクラップ処理するに際しての取り外しが容易であり、かくして光シールドを回収することのできる、押し込み式のシールド取り付けシステムにおける機能を向上させることである。
【課題を解決するための手段】
【０００４】
本発明の１様相によれば、自己位置決め式取り付けシステムであって、
３つの閉鎖側部と１つの開放側部とを持つ取り付け凹所と、横長孔を具備する実質的に中実の底部と、開口を具備する上部とを含むハウジングと、
孔開き平面と、中実の後壁と、ハウジングの前記横長孔と係合し該横長孔から突出する形態とした垂下側壁とのみを有する第１サブアセンブリと、
上面と、前壁及び後壁そして２つの側壁を含む４つの壁とを持つ胴部を含む第２サブアセンブリと、
第２サブアセンブリの上面と関連する圧縮性錠止体と、
胴部の前記４つの壁の１つと関連する第１バネと、
胴部の前記後壁と関連する第２バネと、
より構成され、
前記第１サブアセンブリが、前記圧縮性錠止体が前記孔開き平面の孔に挿通し、前記第１バネが該第１サブアセンブリの垂下側壁と係合し且つ前記第２バネが前記ハウジングの前記実質的に中実の底部と係合する状態下に前記第２サブアセンブリの最上部に位置決めされ、前記第１サブアセンブリと第２サブアセンブリとが、前記圧縮性錠止体がハウジングの前記上部の開口の壁と係合し且つ前記垂下側壁が前記横長孔から突出する状態下に前記ハウジングの凹所内に位置決めされるようにした、自己位置決め式取り付けシステム
が提供される。
前記垂下側壁には適宜のシールドを固定させることができる。
本発明の自己位置決め式取り付けシステムでは、第１サブアセンブリの垂下側壁を配向するＸ、Ｙ、Ｚ方向の張力が付加され、前記圧縮性錠止体が屈曲することで、アセンブリ全体が脱着自在の固定状態下に平面内に錠止される。
【発明の効果】
【０００５】
従来製品における欠点が無く、取り付けシステムの機能を向上させ得、自動車のヘッドライトアセンブリの機能を向上させ得、自己位置決め式で且つ適宜の位置に容易に維持され、パーツをスクラップ処理するに際しての取り外しが容易であり、かくして光シールドを回収することのできる、押し込み式のシールド取り付けシステムにおける機能を向上させ得る自己位置決め式取り付けシステムが提供される。
【発明を実施するための最良の形態】
【０００６】
本発明のその他及び更に他の目的、利益並びに機能のより良い理解のために、以下の説明及び付随する請求の範囲が図面と関連して参照される。
【実施例】
【０００７】
図面を参照して本発明を詳しく説明するに、図１には、取り付け凹所１４を具備するハウジング１２を有する自己芯合わせ式あるいは自己位置決め式取り付けシステム１０が示される。自己位置決め式取り付けシステム１０は自動車のヘッドライトリフレクタの一部であり得、取り付け凹所１４は、３つの閉鎖側部１６、１８、２０と、開放側部２２と、横長孔２６を有する実質的に中実の底部２４と、開口６０を具備する上部２８とを有する。
【０００８】
図２には第１サブアセンブリ３０が示され、孔３４を設けた平面３２と、中実の後壁３６と、垂下側壁３８とのみを有している。組み立て状態に於いて、垂下側壁３８は取り付け凹所の横長孔２６に嵌入してこの横長孔から突出する。
図３には第２サブアセンブリ４０が示され、上面４４と、前壁４６及び後壁４８そして２つの側部５０、５２を含む４つの壁とを有する胴部４２を含んでいる。平バネ形態の圧縮性錠止体５４が上面と関連し、第１バネ５６が側部５０と関連され、第２バネ５８が後壁４８と関連される。本発明の好ましい実施例では第２サブアセンブリが中空とされ、第１バネ及び第２バネと圧縮性錠止体とが、上面及び各側部の材料から形成される。これにより、軽量で且つ操作のし易い構造が提供される。しかしながら、所望であれば各表面に任意の好都合な様式下に別体のバネを適宜に固定させることができる。
【０００９】
様々のユニットを使用するために、第１サブアセンブリ３０が第２サブアセンブリ４０の最上部に位置決めされ、第２サブアセンブリ４０の圧縮性錠止体５４が第１サブアセンブリ３０の平面３２の孔３４に挿通され、第１バネ５６が垂下側壁３８の内側部分と係合され、第２バネ５８が後壁４８の内面と係合される。ユニットは、この位置に維持した状態で取り付け凹所１４に押し込まれると垂下側壁３８が横長孔２６に摺動しつつ入り込み、圧縮性錠止体５４が開口６０に挿通されて押し込みが完了する。この時点で、第２バネ５８が第１サブアセンブリの後壁３６を閉鎖側部１８に押し付け、同時に、アセンブリを前方の開放側部２２に向けて押圧する。アセンブリは、圧縮性錠止体５４が開口６０の壁６２と係合することにより飛び出しが防止される。第１バネ５６が垂下側壁３８に圧力を行使することにより、横方向位置決めが達成される。横方向位置決め状況は図５に最も良く示され、第２ばね５８と圧縮性錠止体５４との作用状況は図６及び図７に示される。
【００１０】
第１バネ５６及び第２バネ５８の作用に圧縮性錠止体５４の作用が連係されることでアセンブリが完全に位置決めされ且つ所望の位置に維持される。しかしながら、所望であれば、圧縮性錠止体５４を押し下げ、アセンブリを挿入した方向とは逆の方向に引き出すことでアセンブリ全体を容易に取り外すことができる。アセンブリが自動車のヘッドライトアセンブリの一部である場合、垂下側壁３８には図４に示されるような、カップ状、即ち中空半球形態の光シールド７０が設けられる。光シールドはヘッドライトの光源の前方部分の殆どを覆う状態でこの前方部分と係合する。光源の前方部分を覆うことにより、光源から、接近してくるドライバーの注意を逸らせる点光源が排除される。
【００１１】
第１サブアセンブリ３０と第２サブアセンブリ４０とは好適な材料で作製することが好ましい。例えば、第１サブアセンブリ３０は垂下側壁３８を１０１８ＣＲＳ製、光シールド７０を１０１０あるいは１００８ＣＲＳ製とし且つ厚さを０．５０ｍｍとすることができる。第２サブアセンブリ４０は、ＲＣ４２−５０のような１０５０バネ鋼、あるいはＳＡＥ１０７４高炭素バネ鋼、あるいはＨＤ亜鉛メッキから形成することが好ましく、材料厚は０．８ｍｍのオーダーであることが好ましい。
かくして、好都合で、堅固であり且つ組み込みが容易で、しかも尚、シールドを回収する際の取り外しの容易性を維持した自己芯合わせ式の取り付けシステムが提供される。
以上、本発明を実施例を参照して説明したが、本発明の内で種々の変更をなし得ることを理解されたい。
【図面の簡単な説明】
【００１２】
【図１】本発明に於いて使用するハウジングの斜視図である。
【図２】第１サブアセンブリの斜視図である。
【図３】第２サブアセンブリの斜視図である。
【図４】図２を線４−４で切断した断面図である。
【図５】組み付け状態での自己位置決め式取り付けシステムの部分断面平面図である。
【図６】図５を線６−６で切断した断面図である。
【図７】図５を線７−７で切断した断面図である。
【符号の説明】
【００１３】
１０  自己位置決め式取り付けシステム
１４  取り付け凹所
１６、１８、２０  閉鎖側部
２２  開放側部
２４  底部
２６  横長孔
２８  上部
３０  第１サブアセンブリ
３２  平面
３４  孔
３６  中実の後壁
３８  垂下側壁
４０  第２サブアセンブリ
４２  胴部
４４  上面
４６  前壁
４８  後壁
５０  側部
５４  圧縮性錠止体
５６  第１バネ
５８  第２バネ
６０  開口
６２  壁
７０  光シールド
【図１】
2004259699.tif 000003
【図２】
2004259699.tif 000004
【図３】
2004259699.tif 000005
【図４】
2004259699.tif 000006
【図５】
2004259699.tif 000007
【図６】
2004259699.tif 000008
【図７】
2004259699.tif 000009